(57)【要約】【課題】  色むらをさらに解消できる半導体発光装置を提供する。【解決手段】ＬＥＤ素子１Ａ上に蛍光体粒子３ａを含む平坦な蛍光体プレート３’を接着層２によって設ける。蛍光体プレート３’は上面視でＬＥＤ素子１Ａより小さい。両側にはＬＥＤ素子１Ａからの光を蛍光体プレート３’内に閉じ込めるための白色樹脂層４’を設ける。蛍光体プレート３’においては、周辺部の上面を下方側へ傾斜させて蛍光体プレート３’の周辺部の厚さをその中央部の厚さに対して小さくする。これにより、蛍光体プレート３’の周辺部の輝度が上昇する。蛍光体プレート３’の周辺部の輝度が上昇すると、その分、周辺部の蛍光体色（たとえば黄色）の偏りが小さくなる。【選択図】        図１
2017228604.tif 000002
【特許請求の範囲】
【請求項１】
発光素子と、
前記発光素子上に接着された蛍光体プレートと
を具備し、
前記蛍光体プレートの周辺部の厚さを該蛍光体プレートの中央部の厚さより小さくした半導体発光装置。
【請求項２】
前記蛍光体プレートは上面視で前記発光素子より小さい請求項１に記載の半導体発光装置。
【請求項３】
前記蛍光体プレートの周辺部の上面を下方側へ傾斜させることにより該蛍光体プレートの周辺部の厚さを小さくした請求項２に記載の半導体発光装置。
【請求項４】
前記蛍光体プレートは上面視で前記発光素子より大きい請求項１に記載の半導体発光装置。
【請求項５】
前記蛍光体プレートの周辺部の上面を下方側へ傾斜させることにより該蛍光体プレートの周辺部の厚さを小さくした請求項４に記載の半導体発光装置。
【請求項６】
前記蛍光体プレートの周辺部の下面を上方側へ傾斜させることにより該蛍光体プレートの周辺部の厚さを小さくした請求項４に記載の半導体発光装置。
【請求項７】
前記蛍光体プレートの周辺部の下端は前記発光素子の上面端にほぼ一致している請求項６に記載の半導体発光装置。
【請求項８】
さらに、前記発光素子の端面及び前記蛍光体プレートの端面の周囲を囲むように設けられた白色樹脂層を具備する請求項１に記載の半導体発光装置。
【発明の詳細な説明】
【技術分野】
【０００１】
本発明は半導体発光装置たとえば白色発光ダイオード（ＬＥＤ）素子装置に関する。
【背景技術】
【０００２】
一般に、白色ＬＥＤ素子装置は、たとえば、青色ＬＥＤ素子及び青色ＬＥＤ素子からの青色光の一部を黄色光に変換するＹＡＧ等の蛍光体粒子を含む蛍光体プレートの組合せによって構成され、青色ＬＥＤ素子の青色光及び蛍光体プレートの黄色光を混色して白色光を実現する。
【０００３】
図４は第１の従来の白色ＬＥＤ素子装置を示す断面図である。図４においては、ＬＥＤ素子１Ａ上に青色光を黄色光に変換するＹＡＧ等の蛍光体粒子３ａを含む平坦な蛍光体プレート３を接着層２によって設ける。この場合、ＬＥＤ素子１Ａは大きく、この結果、蛍光体プレート３は上面視でＬＥＤ素子１Ａより小さい。蛍光体プレート３の厚さが均一であるので、色むらのない白色化構造を実現する。尚、両側にはＬＥＤ素子１Ａからの光を蛍光体プレート３内に閉じ込めるための白色樹脂層４を設ける。白色樹脂層４は酸化チタン、酸化亜鉛等の反射性フィラを分散させたシリコーン樹脂を充填することにより形成される。
【０００４】
図５は第２の従来の白色ＬＥＤ素子装置を示す断面図である。図５においては、図４のＬＥＤ素子１Ａの代りに、サイズの小さいＬＥＤ素子１Ｂを設けてある。これにより、製造コストを低減できる。従って、蛍光体プレート３は上面視でＬＥＤ素子１Ｂより大きい。この場合も、蛍光体プレート３の厚さが均一であるので、色むらのない白色化構造を実現する。
【発明の概要】
【発明が解決しようとする課題】
【０００５】
しかしながら、図４、図５の従来の白色ＬＥＤ素子装置のいずれにおいても、色むらが未だ発生するという課題がある。すなわち、その輝度分布特性を示す図６に示すごとく、中心輝度が高くなり、他方、周辺輝度が低くなる。図５においては、点線矢印で示すごとく、周辺部での光路長が大きくなるので、周辺部での蛍光体色の偏りは大きくなる。この結果、発光色は黄色へ大きくシフトするためである。
【課題を解決するための手段】
【０００６】
上述の課題を解決するために、本発明に係る半導体発光装置は、発光素子と、発光素子上に接着された蛍光体プレートとを具備し、蛍光体プレートの周辺部の厚さを蛍光体プレートの中央部の厚さより小さくしたものである。
【発明の効果】
【０００７】
本発明によれば、周辺部、特に素子より大きい外周部散乱によって失われる光量を減少させ、面内輝度均一性を向上させると共に、プレート外周部を傾斜面処理することで、中央部とプレート周辺部との光路差を平均化することができ、蛍光体色（黄色等）の偏りを軽減し、色むらを解消できる。
【図面の簡単な説明】
【０００８】
【図１】本発明に係る白色ＬＥＤ素子装置の第１の実施の形態を示す断面図である。
【図２】本発明に係る白色ＬＥＤ素子装置の第２の実施の形態を示す断面図である。
【図３】本発明に係る白色ＬＥＤ素子装置の第３の実施の形態を示す断面図である。
【図４】第１の従来の白色ＬＥＤ素子装置を示す断面図である。
【図５】第２の従来の白色ＬＥＤ素子装置を示す断面図である。
【図６】図４、図５の白色ＬＥＤ素子装置の輝度分布特性を示すグラフである。
【発明を実施するための形態】
【０００９】
図１は本発明に係る白色ＬＥＤ素子装置の第１の実施の形態を示す断面図である。
【００１０】
図１においては、図４の蛍光体プレート３、白色樹脂層４の代りに、蛍光体プレート３’、白色樹脂層４’を設ける。蛍光体プレート３’においては、周辺部の上面を下方側へ傾斜させて蛍光体プレート３’の周辺部の厚さをその中央部の厚さに対して小さくし、これに伴い、白色樹脂層４’の厚さも小さくする。これにより、内部散乱等による光の減衰を抑える事ができ、また、面内輝度むらを低減して、蛍光体プレート３’の周辺部の輝度が上昇する。
【００１１】
図２は本発明に係る白色ＬＥＤ素子装置の第２の実施の形態を示す断面図である。
【００１２】
図２においても、図５の蛍光体プレート３、白色樹脂層４の代りに、蛍光体プレート３’、白色樹脂層４’を設ける。蛍光体プレート３’においては、周辺部の上面を下方側へ傾斜させて蛍光体プレート３’の周辺部をの厚さをその中央部の厚さに対して小さくし、これに伴い、白色樹脂層４’の厚さも小さくする。これにより、蛍光体プレート３’の周辺部の輝度が上昇する。
【００１３】
図３は本発明に係る白色ＬＥＤ素子装置の第３の実施の形態を示す断面図である。
【００１４】
図３においては、図５の蛍光体プレート３の代りに、蛍光体プレート３”を設ける。蛍光体プレート３”においては、周辺部の下面を上方側へ傾斜させて蛍光体プレート３”の周辺部の厚さをその中央部の厚さに対して小さくした。この場合、蛍光体プレート３”の周辺部の下端をＬＥＤ素子１Ｂの上端面（接着層２の端部）に一致させることにより光の漏洩を防止する。これにより、蛍光体プレート３”の周辺部の輝度が上昇する。蛍光体プレート３”の周辺部の輝度が上昇する。さらに、点線矢印で示すごとく、周辺部での光路長も短くなる。
【００１５】
尚、本発明はＬＥＤ素子装置以外たとえばレーザダイオード（ＬＤ）素子装置にも適用できる。
【００１６】
さらに、本発明は上述の実施の形態の自明の範囲のいかなる変更にも適用し得る。
【符号の説明】
【００１７】
１Ａ、１Ｂ：ＬＥＤ素子
２：接着層
３、３'、３”：蛍光体プレート
３ａ：蛍光体粒子
４、４'：白色樹脂層
【図１】
2017228604.tif 000003
【図２】
2017228604.tif 000004
【図３】
2017228604.tif 000005
【図４】
2017228604.tif 000006
【図５】
2017228604.tif 000007
【図６】
2017228604.tif 000008